(57)【要約】【課題】ユーザが誤使用しても温風通路を確保し、また、温風が流れる方向を規制することにより安全性を向上する。【解決手段】蓋体２２によって開閉可能とした収容空間２３を有する本体１０と、この本体１０の収容空間２３の底壁部（上面部１５）より上方に形成した吹出口４５から収容空間２３内へ空気を供給する送風手段（送風ファン４８）と、この送風手段４８により供給する空気を加熱する加熱手段（加熱ヒータ４９）と、収容空間２３内に配置され上枠部５２が吹出口４５より上方に位置するカゴ５０と、このカゴ５０の下部に位置するように収容空間２３内に配置されるトレー５５と、を備えた温風供給装置において、カゴ５０の下枠部５１と吹出口４５との間の下部領域に位置するように、吹出口４５より横幅が小さく収容空間２３内へ突出する凸部１８ａを設ける。【選択図】図１
2011217918.tif 000002
【特許請求の範囲】
【請求項１】
蓋体によって開閉可能とした収容空間を有する本体と、この本体の収容空間の底壁部より上方に形成した吹出口から前記収容空間内へ空気を供給する送風手段と、この送風手段により供給する空気を加熱する加熱手段と、前記収容空間内に配置され上枠部が前記吹出口より上方に位置するカゴと、このカゴの下部に位置するように前記収容空間内に配置されるトレーと、を備えた温風供給装置において、
前記吹出口側に位置する前記カゴの下枠部と前記吹出口との間の下部領域に位置するように、前記吹出口より横幅が小さく前記収容空間内へ突出する凸部を設けたことを特徴とする温風供給装置。
【請求項２】
前記トレーは、前記カゴを前記本体の収容空間の底壁部上に正常配置した状態で、前記蓋体によって開放した前記収容空間の開口部から取り出しおよび差し込み可能であり、
前記吹出口は、前記トレーの差込方向前側に設けられていることを特徴とする請求項１に記載の温風供給装置。
【請求項３】
前記凸部は、前記吹出口下部の後壁部にかけて延びるように前記収容空間の底壁部の隅部に設けられていることを特徴とする請求項１または請求項２に記載の温風供給装置。
【請求項４】
前記トレーに、前記本体の凸部に嵌る位置決め凸部を設けたことを特徴とする請求項３に記載の温風供給装置。
【請求項５】
前記本体の凸部に、トレー差込方向後側に向けて下向きに傾斜する傾斜部を設けたことを特徴とする請求項４に記載の温風供給装置。
【請求項６】
前記吹出口の上部に、この吹出口より前記収容空間内へ突出する保護壁部を設けたことを特徴とする請求項１乃至請求項５のいずれか１項に記載の温風供給装置。
【請求項７】
前記カゴに、前記吹出口上部の壁部に略当接する当接枠部を設けたことを特徴とする請求項１乃至請求項６のいずれか１項に記載の温風供給装置。
【請求項８】
蓋体によって開閉可能とした収容空間を有する本体と、この本体の収容空間の底壁部より上方に形成した吹出口から前記収容空間内へ空気を供給する送風手段と、この送風手段により供給する空気を加熱する加熱手段と、前記収容空間内に配置され上枠部が前記吹出口より上方に位置するカゴと、このカゴの下部に位置するように前記収容空間内に配置されるトレーと、を備えた温風供給装置において、
前記カゴに、前記吹出口上部の壁部に略当接する当接枠部を設けたことを特徴とする温風供給装置。
【請求項９】
前記吹出口の上部に、この吹出口より前記収容空間内へ突出する保護壁部を設け、この保護壁部に前記カゴの当接枠部が当接するようにしたことを特徴とする請求項８に記載の温風供給装置。
【発明の詳細な説明】
【技術分野】
【０００１】
本発明は、食器類を温風により乾燥させる食器洗い乾燥機を含む食器乾燥機や、器具を温風により滅菌する滅菌機などの温風供給装置に関するものである。
【背景技術】
【０００２】
この種の温風供給装置は、蓋体によって開閉可能な収容空間を形成した本体を備えている。本体には、収容空間を臨むように開口した吹出口が設けられ、この吹出口から収容空間内へ送風ファンによって空気が供給される。また、収容空間内に供給される空気は、加熱ヒータによって所定温度に加熱した温風とされる。なお、収容空間の内部には、乾燥させる食器類や滅菌する器具を配置するためのカゴが着脱可能に配設されるとともに、このカゴの下部にはトレーが着脱可能に配設されている。
【０００３】
しかしながら、この温風供給装置は、カゴの枠にフキンなどを引っ掛けて乾燥させたり滅菌させたりする可能性がある。この場合、フキンが吹出口を塞ぎ、吹出口に連通する樹脂成形部品である送風通路内が昇温して変形したり、吹出口近傍の樹脂成形部品が昇温により変形したりする可能性がある。特に蓋体は、透明性を必要とするため、比較的耐熱温度が低い樹脂を使用するので、変形し易い。製造メーカでは、フキンを引っ掛けて乾燥させるような使用方法を禁止する旨の注意を取扱説明書などで行っているが、ユーザによる誤使用を無くすことは困難である。
【０００４】
なお、温風供給装置のなかには、収容空間にカゴを配置した状態で、下部に配置するトレーを取り出しおよび差し込み可能に構成したものがある（特許文献１参照）。この特許文献１に記載の食器乾燥機は、トレーの差込方向前側に吹出口が形成されている。そのため、カゴの枠にフキンを引っ掛けた状態でトレーを配置すると、トレーでフキンを押し込んで吹出口を完全に塞ぐため、前述の問題が顕著に現れる。
【先行技術文献】
【特許文献】
【０００５】
【特許文献１】特開２００４−３２１７０７号公報
【発明の概要】
【発明が解決しようとする課題】
【０００６】
本発明では、ユーザが誤使用しても温風通路を確保し、また、温風が流れる方向を規制することにより安全性を向上した温風供給装置を提供することを課題とするものである。
【課題を解決するための手段】
【０００７】
前記課題を解決するため、本発明の温風供給装置は、蓋体によって開閉可能とした収容空間を有する本体と、この本体の収容空間の底壁部より上方に形成した吹出口から前記収容空間内へ空気を供給する送風手段と、この送風手段により供給する空気を加熱する加熱手段と、前記収容空間内に配置され上枠部が前記吹出口より上方に位置するカゴと、このカゴの下部に位置するように前記収容空間内に配置されるトレーと、を備えた温風供給装置において、前記吹出口側に位置する前記カゴの下枠部と前記吹出口との間の下部領域に位置するように、前記吹出口より横幅が小さく前記収容空間内へ突出する凸部を設けた構成としている。
具体的には、前記凸部は、収容空間を形成する本体の壁部、トレーおよびカゴのいずれかに設けられる。
【０００８】
この温風供給装置は、カゴにフキンを引っ掛けた場合、そのフキンの垂下した下端部が、吹出口の近傍に位置する凸部上に載って変形する。その結果、吹出口から供給される温風は、凸部とフキンとの隙間を通って収容空間内に送風される。その結果、吹出口に連通する送風通路や吹出口周辺の樹脂成形部品が、熱で変形することを抑制できる。
【０００９】
この温風供給装置では、前記トレーは、前記カゴを前記本体の収容空間の底壁部上に正常配置した状態で、前記蓋体によって開放した前記収容空間の開口部から取り出しおよび差し込み可能であり、前記吹出口は、前記トレーの差込方向前側に設けられることが好ましい。このようにすれば、カゴを配置した状態でトレーを取り出すことができるため、ユーザの利便性を向上できる。
具体的には、前記凸部は、前記吹出口下部の後壁部にかけて延びるように前記収容空間の底壁部の隅部に設けられることが好ましい。
このようにすれば、カゴにフキンを引っ掛けて誤使用されると、吹出口を完全に塞いだ状態になり易いにも拘わらず、樹脂成形部品が変形することを確実に抑制できる。
【００１０】
また、前記トレーに、前記本体の凸部に嵌る位置決め凸部を設けることが好ましい。
この場合、前記本体の凸部に、トレー差込方向後側に向けて下向きに傾斜する傾斜部を設けることが好ましい。
このようにすれば、吹出口を塞ぐことを防止するための凸部を、トレーの位置決めとして兼用でき、また、トレーの差込時の干渉を防止できるため、利便性の向上を図ることができる。
【００１１】
さらに、前記吹出口の上部に、この吹出口より前記収容空間内へ突出する保護壁部を設けることが好ましい。このようにすれば、吹出口からの通風流路を確保できるため、吹出口を完全に塞ぐことを確実に防止できる。しかも、トレーを取り出す際に、トレー上に水が溜められている場合に、その水が吹出口から内部に浸入することを防止できる。
【００１２】
ここで、吹出口の上方には、収容空間を形成するための蓋体があり、この蓋体は収容空間内の視認性を確保するために透明度が高く耐熱温度が低い樹脂により形成されている。そのため、本発明の温風供給装置は、前記カゴに、前記吹出口上部の壁部に略当接する当接枠部を設けることが好ましい。このようにすれば、フキンで吹出口が塞がれた状態で、供給される温風が隙間から上方に流れることを防止し、下方に流れるように規制できる。よって、耐熱温度が低い蓋体に温風が集中的に供給されることによる変形を防止できる。
【００１３】
この場合、前記吹出口の上部に設けた保護壁部に、前記カゴの当接枠部が当接するように構成することが好ましい。このようにすれば、本体の保護壁部とカゴの当接枠部とで確実に温風が上方に供給されることを防止できる。しかも、吹出口からの通風流路を確保できるため、吹出口を完全に塞ぐことを確実に防止できる。また、トレーを取り出す際に、トレー上に水が溜められている場合に、その水が吹出口が内部に浸入することを防止できる。
【発明の効果】
【００１４】
本発明の温風供給装置では、カゴにフキンを引っ掛けて使用されても、フキンの下端部が吹出口近傍に位置する凸部上に載って変形するため、吹出口を完全に塞ぐことを防止できる。そのため、吹出口に連通する送風通路や吹出口周辺の樹脂成形部品の変形を抑制できる。また、カゴに吹出口上部の壁部に略当接する当接枠部を設けているため、フキンで吹出口が塞がれた状態で、供給される温風が隙間から上方に流れることを防止し、下方に流れるように規制できる。よって、耐熱温度が低い蓋体に温風が集中的に供給されることによる変形を防止できる。
【図面の簡単な説明】
【００１５】
【図１】本発明に係る第１実施形態の食器乾燥機を示す分解斜視図である。
【図２】トレーとカゴを配置した状態を示す斜視図である。
【図３】図２の断面図である。
【図４】蓋体を閉塞した状態を示す断面斜視図である。
【図５】図３の要部拡大断面図である。
【図６】カゴを配置した状態でのトレーの着脱状態を示す斜視図である。
【図７】（Ａ）はトレーの配置後にカゴにフキンを掛けて配置した状態を示す断面図、（Ｂ）は（Ａ）の要部拡大断面図である。
【図８】カゴにフキンを掛けてトレーを差し込む状態を示す断面斜視図である。
【図９】（Ａ）はカゴにフキンを掛けてトレーを差し込んだ状態を示す断面図、（Ｂ）は（Ａ）の要部拡大断面図である。
【図１０】第２実施形態の食器乾燥機を示し、（Ａ）はカゴにフキンを掛けてトレーを差し込んだ状態を示す断面図、（Ｂ）は（Ａ）の要部拡大断面図である。
【発明を実施するための形態】
【００１６】
以下、本発明の実施の形態を図面に従って説明する。
【００１７】
図１乃至図９は、本発明に係る第１実施形態の温風供給装置である食器乾燥機を示す。この食器乾燥機は、収容空間２３内に温風を供給することにより、内部に収容した食器類を乾燥させるものである。食器乾燥機は、図１から図４に示すように、収容空間２３を開閉する蓋体２２を有する乾燥機本体１０を備えている。この乾燥機本体１０の内部には、ダクト部材３７が配設され、このダクト部材３７内の送風通路３８に、送風手段である送風ファン４８と加熱手段である加熱ヒータ４９とが配設されている。また、乾燥機本体１０の収容空間２３には、食器類を配置するカゴ５０と、食器類から滴下する水を受けるトレー５５とが、着脱可能に配置される。
【００１８】
本実施形態の食器乾燥機は、吹出口４５と吹出口４５の側に位置するカゴ５０の下枠部５１との間の下部領域に凸部１８ａを設け、カゴ５０にフキン１００を掛けて使用するなどの誤使用が行われても、温風の通風流路を確保できる構成としている。また、吹出口４５の上部に吹出口４５より温風供給方向下流側（前方）に突出する保護壁部４７を設け、吹出口４５から供給する温風の通風流路を確保する構成としている。これにより、吹出口４５の周辺の樹脂成形部品が溶損することを防止できるようにしている。
【００１９】
具体的には、乾燥機本体１０は、受皿状をなす下ケース１１と、下ケース１１の上端開口を閉塞する上ケース１２とを備えた平面視矩形状のものである。これらケース１１，１２は、耐熱温度がＴｒ１の樹脂（例えば耐熱温度が１３０℃のＰＰ（ポリプロピレン））によって形成した樹脂成形部品である。
【００２０】
上ケース１２の背面側中央には、上向きに突出した吹出口配設部１３が設けられている。この吹出口配設部１３には、後述するダクト部材３７の先端である吹出口４５が正面側（収容空間２３内）へ突出するように配設される。吹出口配設部１３の両側には、正面側に向けて突出するガイド部１４が設けられている。このガイド部１４は、その正面側がダクト部材３７の先端と略同一面上に位置するように膨出されている。また、ガイド部１４の上部は、側面視円弧状に湾曲した曲面部とされ、トレー５５の引っ掛かりを抑制できるようにしている。
【００２１】
上ケース１２の上面部１５は、正面左側に向けて下向きに傾斜した形状をなし、その最も下方に位置する部分に排水孔１６が設けられている。乾燥機本体１０には、この排水孔１６の下部に位置するように排水容器１７が配設されている。この排水容器１７は、乾燥機本体１０の正面から水平方向に着脱可能である。
【００２２】
上ケース１２の上面部１５には、収容空間２３内へ向けて上向きに突出する５個の凸部１８ａ〜１８ｅが設けられている。これら凸部１８ａ〜１８ｅは、トレー５５を位置決めする役割をなし、背面側中央と、４隅の近傍に設けられている。そのうち、背面側中央に位置する凸部１８ａは、吹出口４５の側に位置するカゴ５０の下枠部５１と吹出口４５との間の下部領域に位置し、フキン１００がカゴ５０に掛けられた場合に、フキン１００を変形させて通風流路（隙間）を確保することにより、吹出口４５を完全に塞ぐことを防止する役割をなす。この凸部１８ａは、吹出口４５より横幅が小さく、吹出口４５の下部に位置する収容空間２３の後壁部である吹出口配設部１３の下部１３ａにかけた隅部に設けられている。また、背面両側に位置する凸部１８ｄ，１８ｅは、トレー差込方向後側に向けて下向きに傾斜する傾斜部１９が設けられ、トレー５５の差込時の干渉を防止している。なお、この傾斜部１９は、背面側中央の凸部１８ａにも形成することで、同様の効果を得ることができる。
【００２３】
上ケース１２の上面部１５には、凸部１８ｂ〜１８ｅの横方向外側に、カゴ５０の脚部５４ａ〜５４ｄを位置決めする下向きに窪んだカゴ位置決め部２０ａ〜２０ｄが設けられている。そのうち、正面側に位置するカゴ位置決め部２０ａ，２０ｂは、その正面側がトレー５５の突出部５８ａ，５８ｂが位置する連続したトレー位置決め部２１ａ，２１ｂとされている。なお、図１中背面右側に位置するカゴ位置決め部２０ｄは図示していない。
【００２４】
この乾燥機本体１０の上ケース１２の上面部１５には、背面側に固着した第１蓋部材２４と、この第１蓋部材２４に対して回動可能に配設した第２および第３蓋部材２９，３３とからなる蓋体２２が配設されている。この蓋体２２は、乾燥機本体１０の上部をドーム状に囲繞することにより、乾燥機本体１０の上面部１５とで収容空間２３を形成する。即ち、乾燥機本体１０の上面部１５は、収容空間２３の底壁部を構成する。なお、蓋体２２は、透明度が高く耐熱温度がケース１１，１２の耐熱温度Ｔｒ１より低いＴｒ２の樹脂（例えば耐熱温度が８９℃のＰＳ（ポリスチレン））によって形成した樹脂成形部品である（Ｔｒ１＞Ｔｒ２）。
【００２５】
第１蓋部材２４は、乾燥機本体１０の両側面部から背面部にかけて延びる平面視略Ｕ字形状をなす。この第１蓋部材２４の側面には、乾燥機本体１０の側面中央に位置するように第１ヒンジ接続部２５が設けられている。また、第１蓋部材２４の背面下端には、吹出口配設部１３と両側のガイド部１４にかけて嵌る嵌合凹部２６が設けられるとともに、その上方に横方向に所定間隔をもって位置するスリットからなる排気孔２７が設けられている。さらに、第１蓋部材２４の背面上端には、図３に示すように、外向きに突出する第１遮蔽部２８が設けられている。
【００２６】
第２蓋部材２９は、第１蓋部材２４の外側に回動可能に配設されるもので、側面視略扇型形状をなす側面と、側面視円弧状に湾曲された外面とを有する平面視略Ｕ字形状をなす。この第２蓋部材２９の側面先端には、第１ヒンジ接続部２５に回動可能に接続する第２ヒンジ接続部３０が設けられている。また、第２蓋部材２９の外面には、図３に示す開放状態での下端に、閉塞状態で第１遮蔽部２８と所定間隔をもって位置する第１遮蔽対向部３１が設けられている。さらに、第２蓋部材２９の外面には、開放状態での上端に外向きに突出する第２遮蔽部３２が設けられている。
【００２７】
第３蓋部材３３は、第２蓋部材２９の外側に回動可能に配設されるもので、第２蓋部材２９と同様の平面視略Ｕ字形状をなす。この第３蓋部材３３の側面先端には、第１ヒンジ接続部２５に回動可能に接続する第３ヒンジ接続部３４が設けられている。また、第３蓋部材３３の外面には、開放状態での下端に、閉塞状態で第２遮蔽部３２と所定間隔をもって位置する第２遮蔽対向部３５が設けられている。さらに、第３蓋部材３３の外面には、開放状態での上方に開閉するための操作部３６が外向きに突設されている。
【００２８】
この蓋体２２は、第３蓋部材３３の操作部３６を操作して閉塞すると、図４に示すように、第３蓋部材３３の側面および外面の閉塞回動方向先端の縁が、乾燥機本体１０の上面部１５に当接した状態をなす。そして、この閉塞状態では、各遮蔽部２８，３２と遮蔽対向部３１，３５が所定間隔をもって位置し、収容空間２３内と機外との断熱を図る。また、第３蓋部材３３を開閉操作すると、各ヒンジ接続部２５，３０，３４内に形成した周知の連動構造により、第２蓋部材２９を連動して開方向および閉方向に回動させる。
【００２９】
ダクト部材３７は、図４に示すように、乾燥機本体１０の内部の略中央から背面側上部の吹出口配設部１３にかけて延びる略横Ｊ字形状のものである。このダクト部材３７は、ダクト本体３９と、このダクト本体３９の下部を覆う下カバー４０と、ダクト本体３９の上部を覆う上カバー４１とを備え、これらで筒状に囲まれた内部が送風通路３８を構成する。ダクト本体３９は、耐熱温度がケース１１，１２の耐熱温度Ｔｒ１より高いＴｒ３の樹脂（例えば耐熱温度が２３５℃のＳＰＳ（シンジオタクチックポリスチレン））によって形成した樹脂成形部品である（Ｔｒ１＜Ｔｒ３）。下カバー４０は、ダクト本体３９より耐熱温度が高い金属成形部品である。上カバー４１は、ダクト本体３９と同一材料で形成した樹脂成形部品である。
【００３０】
ダクト部材３７は、乾燥機本体１０の上面部１５に沿って水平方向に延びる第１通路部４２を備えている。この第１通路部４２は、ダクト本体３９と下カバー４０によって四角筒状に形成されている。また、ダクト部材３７は、吹出口配設部１３の背部で垂直上向きに延びる第２通路部４３を備えている。この第２通路部４３は、ダクト本体３９と上カバー４１により、第１通路部４２より横幅が広い四角筒状に形成されている。さらに、ダクト部材３７は、吹出口配設部１３に向けて水平方向に延びる第３通路部４４を備えている。この第３通路部４４は、ダクト本体３９と上カバー４１により、第２通路部４３と同一幅の四角筒状に形成されている。そして、本実施形態では、第３通路部４４の先端を、上面部１５より上方で収容空間２３を臨む吹出口４５としている。
【００３１】
図５に示すように、吹出口４５は、その先端が上ケース１２のガイド部１４の正面側端面より背面側へ没入した状態をなす。この吹出口４５には、横方向に所定間隔をもってルーバー４６が形成されている。また、吹出口４５の上部には、ガイド部１４の正面側端面と略面一に位置するように突出する保護壁部４７が設けられている。この保護壁部４７は、上カバー４１を略横Ｕ字形状に湾曲成形したもので、その先端面が吹出口４５より正面側へ突出している。また、保護壁部４７の上端は、ガイド部１４の上端より下側に位置するように構成されている。この保護壁部４７により、吹出口４５（ルーバー４６）にカゴ５０、トレー５５および食器類が干渉することを防止している。また、トレー５５の表面に付着した水が吹出口４５から送風通路３８へ浸入することを抑制している。
【００３２】
図４に示すように、送風ファン４８は、送風通路３８を通して収容空間２３内へ空気を供給するもので、軸方向から吸い込んだ空気を径方向に送出するシロッコファンからなる。この送風ファン４８は、送風通路３８の第１通路部４２の端部に位置するように、下カバー４０上に配設されている。
【００３３】
加熱ヒータ４９は、送風ファン４８の送風方向上流側に位置するように第１通路部４２内に配設され、収容空間２３に供給する空気を所定温度に加熱するものである。この加熱ヒータ４９は、線条のヒータ線を螺旋状に巻回したものである。
【００３４】
カゴ５０は、金属（ＳＵＳ３０４）製の線条部材を屈曲および接合することにより形成したものである。このカゴ５０は、平面視で乾燥機本体１０の上面部１５より小さい下枠部５１と、平面視で上面部１５より大きい上枠部５２とを備えている。これら下枠部５１および上枠部５２は、略Ｕ字形状に屈曲した複数の仕切枠部５３により一体的に接合されている。また、カゴ５０には、下枠部５１が上面部１５より所定間隔をもって上方に位置するように、下向きに突出して上面部１５に当接する脚部５４ａ〜５４ｄが４隅に設けられている。これら脚部５４ａ〜５４ｄは、上面部１５のカゴ位置決め部２０ａ〜２０ｄ内に配置されることにより、カゴ５０を収容空間２３内の所定位置に位置決めして配置できる。なお、脚部５４ａ〜５４ｄを乾燥機本体１０のカゴ位置決め部２０ａ〜２０ｄに配置した正常配置状態では、カゴ５０の上枠部５２は、正面側が上面部１５上に位置し、背面側が吹出口４５より上部背面側に位置する。
【００３５】
トレー５５は、収容空間２３の底壁部である乾燥機本体１０の上面部１５上に略水平に配設されるものである。このトレー５５は、正常配置状態で上面部１５の排水孔１６に向けて下向きに傾斜した形状をなし、その部分に排水部５６が形成されている。また、トレー５５には、上面部１５の凸部１８ａ〜１８ｅに嵌合する上向きに窪んだ位置決め凸部５７ａ〜５７ｅが設けられている。さらに、本実施形態のトレー５５は、図６に示すように、収容空間２３にカゴ５０を配設した状態で、蓋体２２によって開放した収容空間２３の開口部から略水平に取り出しおよび差し込み可能な構成としている。具体的には、トレー５５は、その横幅がカゴ５０の脚部５４ａ，５４ｂ間より小さく形成され、カゴ５０の下部へ着脱可能としている。このトレー５５には、差込方向後側に横方向に突出する突出部５８ａ，５８ｂが設けられている。これら突出部５８ａ，５８ｂは、横方向の先端間の幅がカゴ５０の脚部５４ａ，５４ｂ間の幅より大きく形成され、正常配置状態で上面部１５のトレー位置決め部２１ａ，２１ｂに配置されることにより、カゴ５０の脚部５４ａ，５４ｂの正面側に位置する。
【００３６】
この食器乾燥機を使用するユーザがトレー５５を洗浄する場合には、カゴ５０を収容空間２３から取り出した状態で、トレー５５を取り出して洗浄できる。また、図６に示すように、カゴ５０を乾燥機本体１０の収容空間２３に配置したまま取り出して洗浄できる。よって、ユーザは、希望に応じた使用方法を選択できるため、利便性を向上できる。
【００３７】
洗浄したトレー５５は、収容空間２３からカゴ５０を取り出した状態で配置できる。この際、本実施形態では、乾燥機本体１０にトレー位置決め部２１ａ，２１ｂを設けるとともに、トレー５５に突出部５８ａ，５８ｂを設けているため、平面視で１８０度回転させた異常配置状態では配置できない。また、ユーザがトレー５５の異常配置に気付かなかったとしても、後にカゴ５０を配置する際にカゴ５０の脚部５４ｃ，５４ｄがトレー５５の突出部５８ａ，５８ｂ上に載り、カゴ５０を正規配置位置に配置できない。さらに、例えユーザがトレー５５およびカゴ５０の異常配置に気付かなかったとしても、このような異常配置状態では、カゴ５０が上方に位置するため、蓋体２２が干渉して閉塞することはできない。よって、異常配置状態での乾燥動作の実行を防止できる。
【００３８】
また、洗浄したトレー５５を収容空間２３に配置する場合には、カゴ５０を乾燥機本体１０の収容空間２３に配置したまま、カゴ５０の下部に差し込んで配置できる。この際、トレー５５を突出部５８ａ，５８ｂの側から差し込もうとしても、突出部５８ａ，５８ｂ間の幅は、カゴ５０の脚部５４ａ，５４ｂ間の幅より大きいため、差し込むことはできない。また、トレー５５を突出部５８ａ，５８ｂの側を持って差し込むと、位置決め凸部５７ａ，５７ｄ，５７ｅを設けた差込方向前側をカゴ５０の脚部５４ａ，５４ｂ間に差し込むことができる。そして、トレー５５の突出部５８ａ，５８ｂがカゴ５０の脚部５４ａ，５４ｂに当接することにより、それ以上の差し込みはできなくなる。この状態で、上面部１５上に配置することにより、トレー５５の突出部５８ａ，５８ｂをトレー位置決め部２１ａ，２１ｂに配置した正常配置位置に配置できる。よって、収容空間２３にカゴ５０を配置した状態でトレー５５を配置する場合には、トレー５５の異常配置を防止できる。
【００３９】
一方、ユーザは、カゴ５０の上枠部５２にフキン１００を掛けて乾燥動作を実行するという誤使用を行う可能性がある。この場合、乾燥動作を開始すると、吹出口４５から収容空間２３へ供給される温風は、トレー５５を配置した収容空間２３の下部領域へ供給される。
【００４０】
具体的には、収容空間２３にトレー５５を配置した後にフキン１００を掛けたカゴ５０を配置した場合、図７（Ａ），（Ｂ）に示すように、フキン１００の垂下した下端部は、トレー５５上に載り、中央の位置決め凸部５７ａで変形する。これにより、位置決め凸部５７ａの両側には、フキン１００とトレー５５との間に通風流路（隙間）が形成される。よって、この状態で吹出口４５から収容空間２３へ温風が供給されると、位置決め凸部５７ａで変形したフキン１００とトレー５５との隙間からトレー５５上である収容空間２３の下部へ通風される。また、吹出口４５からの温風の風力でフキン１００の下部を撓ませながら、収容空間２３の下部を通風する。これは、吹出口４５の上方は、水分を含んだフキン１００が保護壁部４７に密着した状態をなすため、上方への気体流動抵抗が大きいことによる。また、この密着作用は、カゴ５０の上枠部５２が、吹出口４５（保護壁部４７）を越えて更に背面側に位置することによる。
【００４１】
また、トレー５５を配置する前にフキン１００を掛けたカゴ５０を配置した場合、図８に示すように、フキン１００の垂下した下端部は、乾燥機本体１０の上面部１５上に載り、中央の凸部１８ａで変形する。これにより、凸部１８ａの両側には、フキン１００と上面部１５との間に通風流路（隙間）が形成される。この状態でトレー５５を配置した場合、図９（Ａ），（Ｂ）に示すように、フキン１００の下部がトレー５５の下部に位置する。その結果、フキン１００の下部での気体流動抵抗も増大する。しかし、本実施形態では、乾燥機本体１０に設けた凸部１８ａにより、その両側に温風用の通風流路が形成されている。そのため、その通風流路を通して温風を耐熱温度が高いトレー５５と乾燥機本体１０の上面部１５との間を通し、その間に温度降下させて収容空間２３内または外部に送出できる。
【００４２】
このように、本発明の食器乾燥機は、乾燥機本体１０に設けた凸部１８ａによりカゴ５０にフキン１００を引っ掛けて誤使用された場合でも、吹出口４５を完全に塞いだ状態になることを防止できる。その結果、吹出口４５から供給される温風で送風通路３８や吹出口４５の周辺の樹脂成形部品を過熱し、溶損させることを防止できる。
【００４３】
また、本実施形態の食器乾燥機は、乾燥機本体１０にカゴ５０を配置した状態でトレー５５を着脱可能としているため、フキン１００を掛けた誤使用が行われると、溶損が発生し易い構成である。しかし、凸部１８ａは、吹出口４５の下側の後壁部（下部１３ａ）にかけて延びるように設けるとともに、吹出口４５の上部に、吹出口４５より前方に突出する保護壁部４７を設けている。そのため、吹出口４５からの通風流路を確実に確保できる。
【００４４】
さらに、本実施形態では、トレー５５に位置決め凸部５７ａを設け、凸部１８ａに嵌る構成としているため、トレー５５を配置する際の利便性を向上できる。しかも、この位置決め凸部５７ａは、カゴ５０にフキン１００を掛けてトレー５５上に配置した際に、凸部１８ａと同様にフキン１００を変形させて通風流路を確保する役割をなすため、このような誤使用時にも、吹出口４５の周辺の樹脂成形部品の溶損を防止できる。また、吹出口４５の上部に設けた保護壁部４７により、トレー５５を取り出す際に、トレー５５上に水が溜められている場合に、その水が吹出口４５が内部に浸入することを防止できる。
【００４５】
図１０（Ａ），（Ｂ）は第２実施形態の食器乾燥機を示す。この第２実施形態では、カゴ５０にフキン１００が掛けられた場合に、耐熱温度が低い蓋体２２（上方）への温風供給を確実に防止し、下方に流れるように規制できるようにした点で、第１実施形態と相違している。
【００４６】
具体的には、第２実施形態のカゴ５０には、背面側に配置する部位に保護壁部４７へ向けて突出する当接枠部５９が設けられている。この当接枠部５９は、下枠部５１から背面へ突出する一対の屈曲枠部５９ａと、これらの頂部間を連続するように接合した線条の線条枠部５９ｂとからなる。そして、当接枠部５９は、線条枠部５９ｂが保護壁部４７に略当接するように、屈曲枠部５９ａを形成している。
【００４７】
この食器乾燥機は、カゴ５０の上枠部５２にフキン１００を掛けた状態で収容空間２３内にカゴ５０を配置すると、フキン１００が線条枠部５９ｂと保護壁部４７との間に挟まれる。そして、フキン１００の下部は、第１実施形態と同様に垂下し、トレー５５上または図示のようにトレー５５と上面部１５との間に挟まれた状態をなす。この状態で、ユーザが乾燥動作を実行すると、吹出口４５から供給される温風は、上方への通風が遮断され、下方しか通風できない。よって、耐熱温度が高いトレー５５上またはトレー５５と上面部１５との間から正面側へ通風される。その結果、耐熱温度が低い上部の蓋体２２に温風が集中的に供給され、蓋体２２が溶損することを防止できる。
【００４８】
なお、本発明の温風供給装置は、前記実施形態の構成に限定されるものではなく、種々の変更が可能である。
【００４９】
例えば、前記実施形態では、乾燥機本体１０に対してカゴ５０を配置した状態でトレー５５を着脱可能に構成したが、トレー５５は、平面視形状をカゴ５０の下枠部５１より大きく設け、トレー５５上にカゴ５０を配置する構成であってもよい。この場合、フキン１００を変形させるための凸部は、トレー５５の位置決め凸部５７ａにより構成される。また、凸部は、乾燥機本体１０の上面部（底壁部）１５およびトレー５５に限られず、吹出口配設部１３の下部（後壁部）１３ａや保護壁部４７からカゴ５０に向けて突出するように構成してもよく、また、カゴ５０から吹出口４５に向けて突出するように構成してもよい。
【００５０】
そして、前記実施形態では、本発明の温風供給装置として、食器類を乾燥させる食器乾燥機を適用して説明したが、収容空間２３内に所定の器具を収容させて温風により滅菌する滅菌機であっても同様の作用および効果を得ることができる。
【符号の説明】
【００５１】
１０…乾燥機本体
１３…吹出口配設部
１３ａ…下部（後壁部）
１５…上面部（底壁部）
１８ａ〜１８ｅ…凸部
１９…傾斜部
２２…蓋体
２３…収容空間
３８…送風通路
４５…吹出口
４７…保護壁部
４８…送風ファン（送風手段）
４９…加熱ヒータ（加熱手段）
５０…カゴ
５１…下枠部
５２…上枠部
５５…トレー
５７ａ〜５７ｄ…位置決め凸部
５９…当接枠部
１００…フキン
【図１】
2011217918.tif 000003
【図２】
2011217918.tif 000004
【図３】
2011217918.tif 000005
【図４】
2011217918.tif 000006
【図５】
2011217918.tif 000007
【図６】
2011217918.tif 000008
【図７】
2011217918.tif 000009
【図８】
2011217918.tif 000010
【図９】
2011217918.tif 000011
【図１０】
2011217918.tif 000012